【事件の表示】
　上記当事者間の登録第４９００６４５号商標の登録取消審判事件について、次のとおり審決する。
【結　論】
　登録第４９００６４５号商標の指定商品中、第２５類「被服」については、その登録は取り消す。
　審判費用は、被請求人の負担とする。
【理　由】
１　本件商標 
　登録第４９００６４５号商標（以下「本件商標」という。）は、別掲に示すとおりの構成からなり、平成１７年３月３１日に登録出願、第２５類「被服，ガーター，靴下止め，ズボンつり，バンド，ベルト」を指定商品として、同年１０月１４日に設定登録されたものである。 
　　 
２　請求人の主張 
　請求人は、結論と同旨の審決を求め、その理由及び答弁に対する弁駁の理由を要旨次のように述べ、証拠方法として甲第１号証を提出した。 
（１）請求の理由 
　本件商標は、その指定商品中「被服」について、継続して３年以上日本国内において商標権者、専用使用権者または通常使用権者のいずれも使用した事実は存在しない。 
　したがって、本件商標の登録は、商標法第５０条第１項の規定により、その指定商品中、上記の商品については、その登録を取り消されるべきである。 
（２）弁駁の理由 
　ア　被請求人が提出した証拠について 
（ア）乙第１号証について 
　乙第１号証は、「２０１０年１月の展示会領収書控えの写し」とあるが、本件商標に関する領収書かどうか不明である。 
　すなわち、本件商標以外の商品についての領収書である可能性も否定できないので、本件に関する使用証拠とは認められない。 
（イ）乙第２号証について 
　乙第２号証は、「商品サンプル写真００１、００２、００３、００４、００５、００６」とあるが、いつ撮影されたものかが不明である。 
　したがって、「その審判の請求の登録前３年以内に日本国内において」（商標法第５０条第２項）、商標権者が本件商標を使用したことの証明とは認められない。 
（ウ）乙第３号証及び２００９年１０月から１２月までの領収書控えの写し（答弁書に添付された項第３号証は、甲号証の番号が重複しているので、「２００９年１０月から１２月までの領収書控えの写し」は、職権により、乙第４号証とする。以下同じ。）について 
　乙第１号証と同様に、本件商標に関する領収書かどうか不明である。本件商標以外の商品についての領収書である可能性も否定できないので、本件に関する使用証拠とは認められない。 
　イ　したがって、被請求人が提出した各号証は、いずれも本件商標を「被服」について、審判請求の登録前３年以内に使用している事実を証明するものではない。
　 
３　被請求人の主張の要旨 
　被請求人は、本件審判請求は成り立たない、審判費用は請求人の負担とするとの審決を求めると答弁し、その理由を要旨次のように述べ、証拠方法として乙第１号証ないし同第４号証を提出した。 
　私はこの商標を取得してから、小さいながらもこの商標を用いた被服を販売、広報することに今まで努めてきた。 
　今年（審判注：平成２２年）の１月には展示会も開き、来客数は１００人を超えた。売上はまだまだ小額だが、今年の冬からはセレクトショップに卸してもらえる話しもまとまった。５年間かけてやってきたことが実を結びつつある。 
　友人も冬物をブログで紹介してくれるなど、前向きに仲間からの支持もある。現在も、この商標で営業活動をしており、また、次第に広がってきている最中である。 
　 
４　口頭審理について 
　平成２３年２月２４日付け口頭審理通知書で請求人、被請求人に双方に対して、本件取消審判についての審理は、口頭審理によるものとする旨を通知した。しかしながら、被請求人からは、応じることができない旨の連絡があり、同年４月７日付け書面審理通知書で書面審理によるものとする旨の通知を被請求人に双方へ送付し、以後、本件審理を書面審理としたものである。 
　 
５　当審の判断 
（１）被請求人提出の証拠によれば、以下の事実が認められる。 
　ア　「２０１０年１月の展示会領収証控えの写し」（乙第１号証）には、「Ｎｏ．１」ないし「Ｎｏ．２４」までの２４枚の領収証（控）が示されており、いずれにも、被請求人の氏名・住所・電話番号が記載され、宛名は、黒い線で隠されており、但書き欄に、「Ｔシャツ代として」との記載がある。 
（ア）日付欄に「２０１０年１月１５日」と記入されており、金額欄には、「￥１０，８００（Ｎｏ．１及びＮｏ．５）」、「￥１８，０００（Ｎｏ．２）」、「￥７，２００（Ｎｏ．３及びＮｏ．４）」、￥３，６００（Ｎｏ．６）」の記載がある。 
（イ）日付欄に「２０１０年１月１６日」と記入されており、金額欄には、「￥７，２００（Ｎｏ．７）」、「￥１０，８００（Ｎｏ．８）」の記載がある。 
（ウ）日付欄に「２０１０年１月１７日」と記入されており、金額欄には、「￥７，２００（Ｎｏ．９及びＮｏ．１１）」、「￥１０，８００（Ｎｏ．１０）」の記載がある。 
（エ）日付欄に「２０１０年１月１８日」と記入されており、金額欄には、「￥７，２００（Ｎｏ．１２及びＮｏ．１３）」の記載がある。 
（オ）日付欄に「２０１０年１月１９日」と記入されており、金額欄には、「￥３，６００（Ｎｏ．１４）」、「￥１０，８００（Ｎｏ．１５）」の記載がある。 
（カ）日付欄に「２０１０年１月２０日」と記入されており、「￥７，２００（Ｎｏ．１６及びＮｏ．１７）」、「￥１０，８００（Ｎｏ．１８）」の記載がある。 
（キ）日付欄に「２０１０年１月２１日」と記入されており、「￥７，２００（Ｎｏ．１９）」、「￥１０，８００（Ｎｏ．２０）」の記載がある。 
（ク）日付欄に「２０１０年１月２２日」と記入されており、「￥７，２００（Ｎｏ．２１、Ｎｏ．２３及びＮｏ．２４）」、「￥１０，８００（Ｎｏ．２２）」の記載がある。
　イ　「商品サンプル写真」（乙第２号証）には、商品写真として「００１」から「００６」までが示されている。そして、「００１」には男性が着用したＴシャツが写されており、やや鮮明さを欠くが、Ｔシャツの胸部に別掲に示す構成からなる標章が付されている。「００２」には、その右側の写真に、Ｔシャツを着用した男性の後ろ姿が写されており、そのＴシャツの右肩部に前記と同様の標章が付されている。「００３」には、Ｔシャツを着た者の胸部が大写しされており、Ｔシャツには、「ＥＴＨＥＲ」の文字及び別掲と同じ構成の標章（但し、白色で表示されている。）が表示されている。また、「００４」も、シャツの色は異なるがＴシャツに、「００３」と同様の標章が表示されている。「００５」には、別掲と同じ構成で大きさが異なる標章３つが胸部に付されているＴシャツを着用した者が写されており、「００６」には、その右側の写真に、Ｔシャツを着用した男性の後ろ姿が写されており、そのＴシャツの背中部に別掲と同じ構成の標章が付されている。
　ウ　「２０１０年の領収証控えの写し」（乙第３号証）には、２０１０年４月９日から同年８月１３日に至る間の日付が記入された「Ｎｏ．２５」から「Ｎｏ．３６」までの１２枚の領収証（控）が示されており、いずれにも、被請求人の氏名・住所・電話番号が記載され、宛名は、黒い線で隠されており、但書き欄に、「Ｔシャツ代として」との記載がある。 
（ア）日付欄に「２０１０年４月９日（Ｎｏ．２５）、同月２８日（Ｎｏ．２６）、同年５月２１日（Ｎｏ．２８）、同年６月２０日（Ｎｏ．２９）、同月３０日（Ｎｏ．３１）、同年７月６日（Ｎｏ．３２）、同年８月１日（Ｎｏ．３４）及び同月１３日（Ｎｏ．３６）」と記入されており、金額欄には、「￥３，６００」と記入されている。 
（イ）日付欄に「２０１０年５月１４日（Ｎｏ．２７）、同年６月２０日（Ｎｏ．３０）、同年７月１０日（Ｎｏ．３３）及び同年８月９日（Ｎｏ．３５）」と記入されており、金額欄には、「￥７，２００」と記入されている。 
　エ　「２００９年１０月から１２月までの領収証控えの写し」（乙第４号証）には、２００９年１０月７日から１２月１５日に至る間の日付が記入された「Ｎｏ．７１」から「Ｎｏ．７９」までの９枚の領収証（控）が示されており、いずれにも、被請求人の氏名・住所・電話番号が記載され、宛名は、黒い線で隠されており、但書き欄に、「Ｔシャツ代として」との記載がある。 
（ア）日付欄に「２００９年１０月７日（Ｎｏ．７１）、同月２７日（Ｎｏ．７４）及び同年１２月３日（Ｎｏ．７８）」」と記入されており、金額欄には、「￥９，６００」と記入されている。 
（イ）日付欄に「２００９年１０月９日（Ｎｏ．７２）、同月１３日（Ｎｏ．７３）、同年１１月１５日（Ｎｏ．７５）、同月１８日（Ｎｏ．７６）、同年１２月７日（Ｎｏ．７９）及び同月１５日（Ｎｏ．８０）」と記入されており、金額欄には、「￥４，８００」と記入されている。 
（ウ）日付欄に「２００９年１１月２４日（Ｎｏ．７７）」と記入されており、金額欄には、「￥１４，４００」と記入されている。 
　オ　上記ア、イ及びエの領収証に記載された年月日は、いずれも本件審判請求の登録前３年以内の時期にあたるものである。 
（２）本件商標は、別掲に示すとおり、黒塗りした雁木角紋風の図形とその下部右下に「ＥＴＨＥＲ」の欧文字を配した標章からなるものである。これに対して、前記商品サンプル写真に現されたＴシャツに付された標章も、これと同様の構成のものであるから、サンプル写真の標章は、本件商標と社会通念上同一と認められるものである。 
　しかしながら、前記（１）ア、イ及びエの領収証中に「Ｔシャツ代として」と記載されたＴシャツが、上記（１）ウの商品サンプル写真に表された前記標章が付されたシャツと同種のものであることを裏付け得る的確な資料（商品記号の一致等）はみいだせないから、領収証における「Ｔシャツ」の記載のみをもって、直ちに本件商標を付したＴシャツが譲渡されたと推認することはできないといわざるを得ないものである。 
　してみると、被請求人提出の証拠によっては、本件審判請求の登録前３年以内（要証明期間内）において、被請求人が本件商標を指定商品「被服」について使用したことが明らかであるとすることはできない。 
　他に、要証期間内における本件商標の使用を示す証拠はなく、また、不使用の正当理由に係る主張及び立証はない。 
（３）また、被請求人は、平成２３年５月６日付けの上申書において、「平成２３年４月１１日（同月７日付け起案日）に、審判請求人の提出した平成２２年１１月２６日付けの弁駁書に対する答弁の提出を求められているが、現在手元に資料が無く準備を整える期間として１ケ月間程の猶予を願いたい」旨述べ、審理の猶予を上申しているが、その後、相当の期間が経過した現在においても、追加の資料の提出等何ら手続がなされないので、これ以上本件の審理を遅延させるべき事由はないものと判断し、審理をすすめることとした。 
（４）したがって、本件商標は、取消請求に係る指定商品「被服」について、商標法第５０条第１項の規定により、その登録の取消しを免れないものである。 
　よって、結論のとおり審決する。